(57)【要約】【課題】  大津波発生時において、高齢者や子供等であっても容易に短時間で避難する事ができ、簡単な構造で安価な浮上式小部屋を提供することを課題とする。【解決手段】  地盤に構築した基礎構造体の上部に、周囲を鋼板で囲い内部に発泡ポリスチレンフォームを嵌め込んだ浮力室を載せ、その浮力室の上部に浮力室と一体となるように平屋住宅を構築し、大津波が押し寄せた際に、浮力室と一体となるように構築した平屋住宅を、概ね水平状態を保った状態で浮上させ、平屋住宅の船外機用外開きドアの室内側に船外機を横向きに設置し、浮力室と一体となるように構築した平屋住宅が大津波の上に浮き上がった後、船外機用外開きドアを開けてドアを固定し、ドアに設置した船外機を下部の取付金物に移設して稼動させ水面を自走する浮上式小部屋を提供する。【選択図】図４
2014202064.tif 000002
【特許請求の範囲】
【請求項１】
地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事を特徴とする津波対応浮上式小部屋（巻取り式）。
【請求項２】
地盤に構築した基礎構造体の四隅に、ワイヤーを固定するためのフックを設置すると共に、四隅のフックに各々ワイヤーを固定し、フックの概ね真上の平屋住宅の四隅の壁面にワイヤーを室内に通すための開口部を設置し、開口部の室内側にそれぞれ滑車を取付け、フックに固定した４本のワイヤーを開口部から室内に挿入し、室内に取付けた滑車を経由して１台の手動ウインチに巻き付け、大津波が押し寄せ、平屋住宅の一端が大津波により持ち上げられた際に、手動ウインチのハンドルを回す事によりワイヤーを緩め、平屋住宅に到達した大津波に対して平屋住宅を概ね水平状態を保った状態で浮上させた事を特徴とする請求項１に記載の津波対応浮上式小部屋（巻取り式）。
【請求項３】
大津波が押し寄せて来る方向の、左右何れか一方の、地盤に構築した基礎構造体の前後２箇所に、ワイヤーを固定するためのフックを設置すると共に、２箇所のフックに各々ワイヤーを固定し、フックの概ね真上の平屋住宅の隅の壁面にワイヤーを室内に通すための開口部を設置し、開口部の室内側にそれぞれ滑車を取付け、フックに固定した２本のワイヤーを開口部から室内に挿入し、室内に取付けた滑車を経由して１台の手動ウインチに巻き付け、大津波が押し寄せ、平屋住宅の一端が大津波により持ち上げられた際に、手動ウインチのハンドルを回す事によりワイヤーを緩め、平屋住宅に到達した大津波に対して平屋住宅を概ね水平状態を保った状態で浮上させた事を特徴とする請求項１に記載の津波対応浮上式小部屋（巻取り式）。
【請求項４】
大津波が押し寄せて来る方向の、地盤に構築した基礎構造体の左右四隅に、ワイヤーを固定するためのフックを設置すると共に、左右四隅のフックに各々ワイヤーを固定し、フックの概ね真上の平屋住宅の床付近の四隅の壁面にワイヤーを室内に通すための開口部を設置し、平屋住宅の、大津波が押し寄せて来る方向の、室内床の左右壁側にシャフトの両端にウインチを取付けたワイヤー巻取り装置を設置し、左右のフックに取付けた、それぞれ２本のワイヤーを開口部から室内に挿入し、左右それぞれのウインチに巻き付け、大津波が押し寄せ、平屋住宅の一端が大津波により持ち上げられた際、ウインチに巻き付けられたワイヤーが伸び、平屋住宅に到達した大津波に対して平屋住宅を概ね水平状態を保った状態で浮上させた事を特徴とする請求項１に記載の津波対応浮上式小部屋（巻取り式）。
【請求項５】
船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事を特徴とする請求項１乃至４に記載の津波対応浮上式小部屋（巻取り式）。
【発明の詳細な説明】
【技術分野】
【０００１】  この発明は、平常時には人が住居として活用し、大地震による大津波発生時には、大津波の水の勢いで浮上式小部屋が概ね水平状態を保った状態で水面に浮上し、浮上式小部屋に取付けた船外機を稼動させて安全に避難するための浮上式小部屋の構造に関するものである。
【背景技術】
【０００２】  平成２３年３月１１日に発生した東日本大震災と、それに伴って発生した大津波により亡くなった死者と行方不明者の合計は２万人以上にも及び、今後も、東海トラフ地震等の大地震や大津波が発生するおそれのある事が指摘されており、災害時に自ら救命するための対策を準備しておく事が不可欠になっている。【０００３】  大地震が発生した際、津波災害に遭遇しないためには、いち早く安全な高台等に避難することが必要であるが、震源地が近い時や、高台の無い沿岸部で生活している人にとっては高いビルや高台等へ避難する時間的余裕がなく、特に、高齢者など足腰が弱い人の場合には、大地震発生から大津波が到達するまでの短時間の間に、ビル等の長い階段を上って高い位置にある屋上へと避難するのは非常に大変な事であり、また、車で避難する場合には交通渋滞等により避難場所までの移動が困難な状況となり、避難途中に津波に巻き込まれて死亡する危険性が高かった。【０００４】  さらに、昨年８月に示された南海トラフ巨大地震の被害想定では、死者は最大３２万人、建物全壊は２３８万棟と見込まれた事から、鉄骨構造で十数メートルの高さのタワー型避難台の建築も提案されている。しかし高齢者などが短時間の内に十数メートルの高さの階段を登ることが出来るかどうか疑問も残ると共に、津波の高さが十数メートル以内であるかどうかの保証も無いため、普及する段階まで至っていない。【０００５】  このような実情に鑑みて、津波発生時において短時間で避難できる簡易なシェルターが、例えば特許文献１で提案されている。これは家屋に対して一体に付設されて該家屋からの出入が可能なシェルターであって、大津波来襲時において家屋からシェルターを分離させるための分離手段と、家屋から分離させたシェルターを密閉する密閉手段とを具備し、家屋から分離させた状態において水に浮くシェルターであった。【０００６】  しかしながら、特許文献１は、家屋全体が高波に飲み込まれてしまうと、シェルターも家屋に押しつぶされて水面に浮上する事ができない恐れがあると共に、シェルター自体が水面に対して水平を保って上昇出来ない可能性があり、シェルターが大津波に飲み込まれて横転したり転覆したりして避難者が負傷する恐れがあるため、津波避難用のシェルターとしては問題が残った。【０００７】  さらに、例えば特許文献２では、建物の屋根部が密閉空間を有するシェルターで形成され、該シェルターが居住部の上方に配置された構造で上部を屋根形状に形成すると共に、下部を略船底形状に形成した密閉可能なシェルターで、居住部とシェルターとが取付手段を介して固定され一体化しているシェルターであった。【０００８】  しかしながら、特許文献２は、密閉空間を有するシェルターのため、平常時に居住空間として使用するには、採光、通風の面で問題が残ると共に、大きな津波が押し寄せて来た際には、シェルターが大津波に巻き込まれ、シェルターが横転したり転覆してしまう危険性があった。【０００９】  さらに、地中固定された支柱に連結した油圧シリンダーの駆動により避難タワーを昇降させる技術が、例えば特許文献３で提案されているが、昇降可能の高さを超えた大津波が押し寄せてきた場合の対策としては不十分であっ��。
【先行技術文献】
【特許文献】
【００１０】
【特許文献１】特開２００７−２７７９９８
【特許文献２】特開２０１２−２３３３０６
【特許文献３】特開２００６−１１２０８８
【発明の概要】
【発明が解決しようとする課題】
【００１１】  本発明は、上記した従来技術の問題点を解決すべくなされたもので、大津波発生時において高齢者や子供等であっても容易に短時間で避難する事ができ、逃げ遅れて大津波に巻き込まれる危険性を解消する事ができ、簡単な構造で安価に構築する事ができる浮上式小部屋を提供することを課題とする。【００１２】  さらに、本発明の浮上式小部屋を大津波の避難用として使用する事は極めて稀であり、そのため、平常時においては、一般的な住宅と同様に生活するための小部屋として活用する事を前提とし、大津波に遭遇した場合でも横転したり転覆すること無く、概ね水平状態を保った状態で浮上し、どのような高い大津波にも対応できる避難所を提供することを課題とする。【００１３】  さらに、平成２３年３月１１日に発生した東日本大震災で問題となった、津波が海岸から沖合に向かって進行する引き波により、浮上式小部屋が沖合いまで流された場合も、自力で陸地まで戻ることを可能とする浮上式小部屋を提供することを課題とする。
【課題を解決するための手段】
【００１４】  かかる課題を解決するため、請求項１に記載の発明は、地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事を特徴とする。【００１５】  請求項２に記載の発明は、請求項１に記載の構造に加え、地盤に構築した基礎構造体の四隅に、ワイヤーを固定するためのフックを設置すると共に、四隅のフックに各々ワイヤーを固定し、フックの概ね真上の平屋住宅の四隅の壁面にワイヤーを室内に通すための開口部を設置し、開口部の室内側にそれぞれ滑車を取付け、フックに固定した４本のワイヤーを開口部から室内に挿入し、室内に取付けた滑車を経由して１台の手動ウインチに巻き付け、大津波が押し寄せ、平屋住宅の一端が大津波により持ち上げられた際に、手動ウインチのハンドルを回す事によりワイヤーを緩め、平屋住宅に到達した大津波に対して平屋住宅を概ね水平状態を保った状態で浮上させた事を特徴とする。【００１６】  請求項３に記載の発明は、請求項１に記載の構造に加え、大津波が押し寄せて来る方向の、左右何れか一方の、地盤に構築した基礎構造体の前後２箇所に、ワイヤーを固定するためのフックを設置すると共に、２箇所のフックに各々ワイヤーを固定し、フックの概ね真上の平屋住宅の隅の壁面にワイヤーを室内に通すための開口部を設置し、開口部の室内側にそれぞれ滑車を取付け、フックに固定した２本のワイヤーを開口部から室内に挿入し、室内に取付けた滑車を経由して１台の手動ウインチに巻き付け、大津波が押し寄せ、平屋住宅の一端が大津波により持ち上げられた際に、手動ウインチのハンドルを回す事によりワイヤーを緩め、平屋住宅に到達した大津波に対して平屋住宅を概ね水平状態を保った状態で浮上させた事を特徴とする。【００１７】  請求項４に記載の発明は、請求項１に記載の構造に加え、大津波が押し寄せて来る方向の、地盤に構築した基礎構造体の左右四隅に、ワイヤーを固定するためのフックを設置すると共に、左右四隅のフックに各々ワイヤーを固定し、フックの概ね真上の平屋住宅の床付近の四隅の壁面にワイヤーを室内に通すための開口部を設置し、平屋住宅の、大津波が押し寄せて来る方向の、室内床の左右壁側にシャフトの両端にウインチを取付けたワイヤー巻取り装置を設置し、左右のフックに取付けた、それぞれ２本のワイヤーを開口部から室内に挿入し、左右それぞれのウインチに巻き付け、大津波が押し寄せ、平屋住宅の一端が大津波により持ち上げられた際、ウインチに巻き付けられたワイヤーが伸び、平屋住宅に到達した大津波に対して平屋住宅を概ね水平状態を保った状態で浮上させた事を特徴とする。【００１８】  請求項５に記載の発明は、請求項１乃至４に記載の構造に加え、船外機用外開きドアの室内側に、船外機をドアに対して横方向に設置するための取付金具を上下２ヵ所に設置��、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事を特徴とする。
【発明の効果】
【００１９】  請求項１に記載の発明によれば、地盤に構築した基礎構造体の上部に、周囲を鋼板で囲い床部を面格子状に鋼板で塞ぎ、内部に発泡ポリスチレンフォームを嵌め込んだ浮力室を載せ、その浮力室の上部に浮力室と一体となるように平屋住宅を構築し、大津波が押し寄せた際、浮力室と一体となるように構築した平屋住宅を、概ね水平状態を保った状態で水面に浮上させ、船外機用外開きドアを開けてドアを固定し、船外機用外開きドアの室内側に横向きに設置した船外機を下げて稼動させ、平屋住宅を自走させた事により、平常時には平屋住宅を居室として活用し、大津波が押し寄せて来た際には安全に避難するための救命住宅としての役目を果たし、水中に長時間入れても表面に水が付着するだけで、吸水量が非常にわずかな発泡ポリスチレンフォームを鋼板で囲い、平屋住宅を水面上に浮かせるための浮力材として活用したため、簡単な構造と安価な費用で、安全性の高い津波対応浮上式小部屋を建築する事が可能となった。【００２０】  請求項２に記載の発明によれば、地盤に構築した基礎構造体の四隅に、ワイヤーを固定するためのフックを設置すると共に、四隅のフックに各々ワイヤーを固定し、フックの概ね真上の平屋住宅の四隅の壁面にワイヤーを室内に通すための開口部を設置し、開口部の室内側にそれぞれ滑車を取付け、フックに固定した４本のワイヤーを開口部から室内に挿入し、室内に取付けた滑車を経由して１台の手動ウインチに巻き付け、大津波が押し寄せ、平屋住宅の一端が津波により持ち上げられた際に、手動ウインチのハンドルを回す事によりワイヤーを緩め、平屋住宅に到達した大津波に対して平屋住宅を概ね水平状態を保った状態で浮上させた事により、最初の大津波が押し寄せ、大津波により平屋住宅の一部が、船が大波を乗り越える時のように、一端が持ち上がるような状態になった場合において、持ち上がる場所に設置したワイヤーが引っ張られ、平屋住宅の一端が持ち上がるのを防ぐと共に、基礎構造体の四隅に設置したフックに、それぞれ４本のワイヤーを固定し、そのワイヤーを１台の手動ウインチに巻き付け、手動ウインチのハンドルを回してワイヤーを緩める事により、４本のワイヤーが同じ長さで伸び、その事により平屋住宅が横転したり転覆する可能性が無くなり、概ね水平状態を保った状態で浮上させる事が可能となると共に、ワイヤーが伸びきった状態において、ワイヤーを手動ウインチから外す事により、平屋住宅は大津波に流されて安全に避難する事が可能となった。【００２１】  請求項３に記載の発明によれば、大津波が押し寄せて来る方向の、左右何れか一方の、地盤に構築した基礎構造体の前後２箇所に、ワイヤーを固定するためのフックを設置すると共に、２箇所のフックに各々ワイヤーを固定し、フックの概ね真上の平屋住宅の隅の壁面にワイヤーを室内に通すための開口部を設置し、開口部の室内側にそれぞれ滑車を取付け、フックに固定した２本のワイヤーを開口部から室内に挿入し、室内に取付けた滑車を経由して１台の手動ウインチに巻き付け、大津波が押し寄せ、平屋住宅の一端が大津波により持ち上げられた際に、手動ウインチのハンドルを回す事によりワイヤーを緩め、平屋住宅に到達した大津波に対して平屋住宅を概ね水平状態を保った状態で浮上させた事により、最初の大津波が押し寄せ、大津波により平屋住宅の一部が、船が大波を乗り越える時のように、一端が持ち上がるような状態になった場合において、持ち上がる場所に設置したワイヤーが引っ張られ、平屋住宅の一端が持ち上がるのを防ぐと共に、基礎構造体の大津波が押し寄せて来る方向の、左右何れか一方の、地盤に構築した基礎構造体の前後２箇所に、設置したフックに、それぞれ２本のワイヤーを固定し、そのワイヤーを１台の手動ウインチに巻き付け、手動ウインチのハンドルを回してワイヤーを緩める事により、ワイヤーを、大津波が押し寄せて来る方向の、左右何れか一方の、地盤に構築した基礎構造体の前後２箇所に限定したため、平屋住宅が水面に浮上するまで多少の揺れや傾きは生ずるものの、コストを概ね半分に抑えられ、２本のワイヤーが均一の長さで伸び、その事により平屋住宅が横転したり転覆する可能性が無くなり、概ね水平状態を保った状態で浮上させる事が可能となると共に、ワイヤーが伸びきった状態において、ワイヤーを手動ウインチから外す事により、平屋住宅は大津波に流されて安全に避難する事が可能となった。【００２２】  請求項４に記載の発明によれば、大津波が押し寄せて来る方向の、地盤に構築した基礎構造体の左右四隅に、ワイヤーを固定するためのフックを設置すると共に、左右四隅のフックに各々ワイヤーを固定し、フックの概ね真上の平屋住宅の床付近の四隅の壁面にワイヤーを室内に通すための開口部を設置し、平屋住宅の、大津波が押し寄せて来る方向の、室内床の左右壁側にシャフトの両端にウインチを取付けたワイヤー巻取り装置を設置し、左右のフックに取付けた、それぞれ２本のワイヤーを開口部から室内に挿入し、左右それぞれのウインチに巻き付け、大津波が押し寄せ、平屋住宅の一端が大津波により持ち上げられた際、ウインチに巻き付けられたワイヤーが伸び、平屋住宅に到達した大津波に対して平屋住宅を概ね水平状態を保った状態で浮上させた事により、最初の大津波が押し寄せ、大津波により平屋住宅の一部が、船が大波を乗り越える時のように、一端が持ち上がるような状態になった場合において、持ち上がる場所に設置したワイヤーが引っ張られてウインチが回転した場合、シャフトに取付けられた他端のウインチも同様に回転する事により、一本のシャフトの両端に取付けられたウインチの２本のワイヤーが均一の長さで伸び、その事により平屋住宅が横転したり転覆する可能性が無くなり、概ね水平状態を保った状態で浮上させる事が可能となると共に、ワイヤーが伸びきった状態において、ワイヤーをウインチから外す事により、平屋住宅は大津波に流されて安全に避難する事が可能となった。【００２３】  請求項５に記載の発明によれば、船外機用外開きドアの室内側に、船外機をドアに対して横方向に設置するための取付金具を上下２ヵ所に設置し、上部の取付金具に船外機を設置し、浮力室と一体となるように構築した平屋住宅が大津波の上に浮き上がった後、ドアを９０度開口して固定すると共に、船外機を下部の取付金具に移設して駆動させ、船外機の操作レバーを操作し、浮力室と一体となるように構築した平屋住宅の進行方向を変えた事により、非常事で気持��が動転しているような状態においても船外機を容易に操作する事が出来るようになり、安全に避難する事が可能となった。
【実施例１】
【００２４】  以下、この発明の実施の形態１について説明する。
［発明の実施の形態１］【００２５】  図１乃至図７には、この発明の実施の形態１を示す。【００２６】  図１と図２は、本発明の津波対応浮上式小部屋の、基礎部２７と浮力室１６と平屋住宅１を立体図で示すと共に、図１では浮力室１６を部品の分解図で示し、図２では浮力室１６を組立図で示す。地盤に基礎部２７の基礎構造体２２、２３、２４、２５を構築し、その基礎構造体２２、２３、２４、２５には、それぞれフック１８、１９、２０、２１を固定し、その上部には、四隅に四角鋼材の支柱１２を配置し、その四角鋼材の隣り合う側面の上下部分を、互いに角形鋼管で形成した上部梁１３と下部梁１４で溶接して接合し、底面は面格子状になるように下部梁１４に対して平鋼材を溶接して床梁１５を形成し、浮力室１６の周囲の骨格（上部梁１３、下部梁１４）の外側の側面に平板状の鋼板１７を溶接して取付け、このように構成した枡形状をした浮力室１６の内側に直方体の形状をした発泡ポリスチレンフォーム１１（４枚の発泡ポリスチレンフォームを並べて一枚の発泡ポリスチレンフォームとなるように構成した）を嵌め込み、浮力室１６の上部に浮力室１６と一体となるように平屋住宅１を構築し、平屋住宅１の壁面４には四角形状の開口部５、１０を設け、出入口ドア７を取付け、室外から出入口ドア７を開けて入室出来るように、出入口ドア７の室外側には地盤に固定した階段２６を配置する。【００２７】  浮力室１６に発泡ポリスチレンフォーム１１を使う理由は、軽くて丈夫で、加工が簡単で、水中に長時間つけても表面に水が付着するだけで、吸水量は非常にわずかで、水中に侵漬しても膨潤したり、軟化、変形、変質したりすることが無く、硬質ウレタンフォームに比べ吸水量が概ね３分の１で、水を吸収しにくい性質を有するため、本発明の浮力材としては最適であり、建築する平屋住宅１の大きさ（述べ床面積）と重量に対して、浮力室１６の容積を変化させ、発泡ポリスチレンフォーム１１の嵌め込み量を増減させる事により容易に対応する事が出来る。このように構成した事により、大津波が押し寄せて来た場合でも、浮力室１６の中に嵌め込んだ発泡ポリスチレンフォーム１１の浮力により、平屋住宅１を大津波の水面に浮上させる事が可能となった。【００２８】  さらに、平屋住宅１は、一般的な在来工法住宅、ツーバイフォー住宅、軽量鉄骨住宅で作られ、浮力室１６と平屋住宅１は、浮力室１６の支柱１２と上部梁１３に溶接されたボルト（図示せず）を平屋住宅１の土台（図示せず）にナット（図示せず）で固定する事により、浮力室１６と平屋住宅１が一体となり、壁の内部には断熱材を使用し、床にはフローリングを施工し、日常生活を快適に過ごす事が出来るように平屋住宅１は建築される。さらに、平屋住宅１の内部には、冬季に避難する際に必要な人体を寒さから守るため、少なくとも「４人分の保温シート」「懐中電灯付手回しラジオ」「笛」と、平屋住宅１の内部に侵入した水を汲み出したり、大小便にも利用する事ができる「排水具」と、平屋住宅１を安全な場所に避難させるための「鉤付オール」と、平屋住宅１を係留させるための「ロープ」が装備される。【００２９】  図３は、図１と図２で説明した基礎部２７の基礎構造体２２、２３、２４、２��の上部に浮力室１６を載せ、その浮力室１６の上部に浮力室１６と一体となるように平屋住宅１を構築し、基礎構造体２３に設置したフック１９にワイヤー３０を固定し、さらに基礎構造体２４に設置したフック２０にワイヤー３１を固定し、壁面４の開口部１０からワイヤー３１を室内に挿入した状態を示すと共に、基礎構造体２５に設置したフック２１にワイヤー３２を固定し、壁面４の開口部５からワイヤー３２を室内に挿入した状態を立体図で示す。【００３０】  このように平屋住宅１の下部に発泡ポリスチレンフォーム１１を嵌め込んだ浮力室１６を配置し浮力室１６を鋼板で囲った事により、平屋住宅１が大津波の水面を流されている最中に、自動車や電柱や建物等に接触した場合においても、周囲を平板状の鋼板で囲われた浮力室１６や平屋住宅１が一部損傷する事はあっても発泡ポリスチレンフォーム１１が水をほとんど吸収しないため、平屋住宅１が沈む事なく安全に避難する事が可能となる。【００３１】  図４は、図３で説明したワイヤーを平屋住宅１の室内で引き回して構成した状態を、平屋住宅１の外観を点線で表し、ワイヤーと滑車と手動ウインチの構成を立体図で示す。基礎構造体２３に設置したフック１９に固定されたワイヤー３０は、壁面４に設置した開口部４５から室内に挿入され、室内の壁面に取付けられた滑車３７と滑車４６を経由して手動ウインチ４１に巻き付けられる。同様に、基礎構造体２４に設置したフック２０に固定されたワイヤー３１は、壁面４に設置した開口部１０から室内に挿入され、室内の壁面に取付けられた滑車４２と滑車４３を経由して手動ウインチ４１に巻き付けられる。さらに基礎構造体に設置したフック２１に固定されたワイヤー３２は、壁面４に設置した開口部５から室内に挿入され、室内の壁面に取付けられた滑車４４を経由して手動ウインチ４１に巻き付けられる。さらに基礎構造体に設置したフック１８に固定されたワイヤー３６は、壁面４に設置した開口部３８から室内に挿入され、室内の壁面に取付けられた滑車４４を経由して手動ウインチ４１に巻き付けられる。このように四隅の基礎構造体に設置されたフック１８、１９、２０、２１に固定した４本のワイヤー３０、３１、３２、３６は滑車を経由して１台の手動ウインチ４１に巻き取られ、図５で示すように、大津波が押し寄せて来て、船が大波を乗り越える時のように、平屋住宅１の一端が大津波により持ち上げられるような状態に陥っても、手動ウインチ４１のハンドル４０を手で回し４本のてワイヤー３０、３１、３２、３６を同時に緩める事により、４本のワイヤー３０、３１、３２、３６が同じ長さで伸びるため、平屋住宅１の一端だけが持ち上がる様な事が無くなり、概ね水平状態を保った状態で平屋住宅１を浮上させる事が可能となった。【００３２】  この場合、平常時において４本のワイヤー３０、３１、３２、３６を手動ウインチ４１に巻き付ける際には、４本のワイヤー３０、３１、３２、３６の緩みを同一にして少なく調整する事が大切である。さらに、開口部５、１０、３８、４５と滑車の位置は、平常時において本発明の平屋住宅１の内部の広さを十分に活用するため、天井付近、さらには天井内部に設置する事が望ましい。さらに、手動ウインチ４１の��付け位置については、ハンドル４０の操作を容易に行えるように床上８０〜１００センチメートルの位置に取付けるのが望ましい。さらに、手動ウインチ４１の横には、手動ウインチ４１を安定した状態で操作する事が出来るように手すりを取付ける事が必要である。【００３３】  なお、開口部５、１０、３８、４５には、ワイヤー３０、３１、３２、３６と開口部５、１０、３８、４５とが接触し、開口部５、１０、３８、４５が損傷しないように、ワイヤー３０、３１、３２、３６を受止めるためのローラー（図示せず）又は凹形状のワイヤー受け金物（図示せず）が取付けられる。【００３４】  図６ａ、図７は、平屋住宅１に取付けられた船外機用外開きドア５１の取付け位置と、船外機用外開きドア５１に、船外機５２を取付けた状態を示す。さらに図７では浮力室１６と連結した平屋住宅１が大津波の水面に浮き上がった後、船外機用外開きドア５１の開閉ドア５４を開けて固定し、開閉ドア５４に設置した船外機５２を下部の取付金具に移設して稼動させた状態を立体図で示す。この場合に使用する船外機５２は、一般に小型ボート用として市販されている２馬力程度の２ストロークエンジンを使用した船外機を使用する事により、燃料（混合ガソリン）の保管も容易で、軽くて操作も簡単で移設も容易に行う事を可能とする。【００３５】  図６ｂは、船外機用外開きドア５１の開閉ドア５４を閉めた状態において開閉ドア５４に取付けた船外機上部取付金具５７の位置と、船外機下部取付金具５９の上下の位置関係を示す。図６ｃは、図６ｂで説明した船外機上部取付金具５７に船外機５２を開閉ドア５４の内側に横向きに取付けた状態を示す。図６ｄは、図６ｃで説明した開閉ドア５４を９０度外側に開放し、開閉ドア５４に取付けられ鉤形をしたドア固定用フック６０をドア枠５３に取付けられ半円形をしたフック固定金物６１に引っ掛けて固定した状態を示す。このように開閉ドア５４を固定する事により、船外機５２が平屋住宅１に対して進行方向を向くように配置される。船外機上部取付金具５７と船外機下部取付金具５９の形状については、設置する船外機５２の種類と大きさ（馬力）によっても異なると共に、船外機上部取付金具５７を取付ける位置は、本発明の津波対応浮上式小部屋が大津波で流され、開閉ドア５４を９０度外側に開口する際、船外機５２がドア枠５３に接触しない位置に取付ける。さらに船外機下部取付金具５９を取付ける位置は、船外機用外開きドア５１の開閉ドア５４を９０度外側に開口し、ドア固定用フック６０とフック固定金物６１で開閉ドア５４を固定し、船外機５２を船外機上部取付金具５７から取外し船外機下部取付金具５９に移設した際、船外機５２のスクリュウが水中に十分水没する位置に取付ける。【００３６】  このように船外機用外開きドア５１を構成する事により、室内で平常時においても妨げとならないように船外機５２を配置する事が可能となると共に、非常時で気持ちが動転しているような状態においても、単に開閉ドア５４を開けて船外機５２を下部の船外機下部取付金具５９に移設するという簡単な操作で、船外機５２を平屋住宅１の外に固定し稼動させる事が可能となるため、津波が海岸から沖合いに向かって進行する引き波により平屋住宅１が沖合いまで流された場合でも、自力で安全に陸地まで戻る事が出来る。【００３７】  図７は、図６で説明した浮力室１６の上部に浮力室１６と一体となるように構築した平屋住宅１が大津波の水面４７に浮き上がった状態を立体図で示す。ワイヤー３０、３１、３２、３６が伸びきった状態において、ワイヤー３０、３１、３２、３６を手動ウインチ４１から外し、図６ｄで説明したように、船外機用外開きドア５１の開閉ドア５４を９０度外側に開口し、ドア固定用フック６０とフック固定金物６１で開閉ドア５４を固定し、船外機５２を船外機上部取付金具５７から取外して船外機下部取付金具５９に移設し、平屋住宅１が水面４７に浮かんで自走出来るようになった状態を示す。
【実施例２】
【００３８】  以下、この発明の実施の形態２について説明する。
［発明の実施の形態２］【００３９】  図８乃至図１０には、この発明の実施の形態２を示す。上記発明の実施の形態１では、図３乃至図５において、地盤に構築した基礎構造体２２、２３、２４、２５の四隅に、それぞれ４本のフック１８、１９、２０、２１を設置し、その４本のフック１８、１９、２０、２１に、それぞれワイヤー３０、３１、３２、３６を固定し、フック１８、１９、２０、２１の概ね真上の平屋住宅の四隅の壁面にワイヤー３０、３１、３２、３６を通すための四角形状をした開口部５、１０、３８、４５を設置し、開口部５、１０、３８、４５の室内側にそれぞれ滑車を取付け、フック１８、１９、２０、２１に固定した４本のワイヤー３０、３１、３２、３６を開口部から室内に挿入し、室内に取付けた滑車を経由して１台の手動ウインチ４１に巻き付けるように構成されていたが、この発明の実施の形態２では、大津波が押し寄せて来る方向の、左右何れか一方の、地盤に構築した基礎構造体８６、８７の前後２箇所に、ワイヤー７６、８０を固定するためのフック７４、８１を設置すると共に、２箇所のフック７４、８１に各々ワイヤー７６、８０を固定し、フック７４、８１の概ね真上の平屋住宅６６の隅の壁面にワイヤー７６、８０を室内に通すための四角形状をした開口部７７、７９を設置し、開口部７７、７９の室内側にそれぞれ滑車７８、８４を取付け、フック７４、８１に固定した２本のワイヤー７６、８０を開口部７７、７９から室内に挿入し、室内に取付けた滑車７８、８４を経由して１台の手動ウインチ８３に巻き付けるように構成される。その他の構造については、この発明の実施の形態１と同様である。【００４０】  このように構成する事により、大津波が押し寄せて来た際、この発明の実施の形態１に比べ、平屋住宅６６を大津波から守るためのワイヤーを４本から２本に減少させたため、平屋住宅６６が水面に浮上するまで多少の揺れや傾きは生ずるものの、建築する際の費用を大幅に抑える事が可能となるため、費用対効果が高まる。
【実施例３】
【００４１】  以下、この発明の実施の形態３について説明する。
［発明の実施の形態３］【００４２】  図１１には、この発明の実施の形態３を示す。上記発明の実施の形態２では、大津波が押し寄せて来る方向の、左右何れか一方の、地盤に構築した基礎構造体８６、８７の前後２箇所に、ワイヤー７６、８０を固定するためのフック７４、８１を設置すると共に、２箇所のフック７４、８１に各々ワイヤー７６、８０を固定し、フック７４、８１の概ね真上の平屋住宅６６の隅の壁面にワイヤー７６、８０を室内に通すための開口部７７、７９を設置し、開口部７７、７９の室内側にそれぞれ滑車７８、８４を取付け、フック７４、８１に固定した２本のワイヤー７６、８０を開口部７７、７９から室内に挿入し、室内に取付けた滑車７８、８４を経由して１台の手動ウインチ８３に巻き付けるように構成されていたが、この発明の実施の形態３では、フック９５、１０２に固定されたワイヤー９６、１０３は平屋住宅９０の床付近に設置した開口部９７、１０４から室内に挿入され、挿入されたワイヤー９６、１０３は床上に取付けられたローラー９８、１０５を経由して平屋住宅９０の床に取付けられた手動ウインチ１００に巻き付けられるように構成される。【００４３】  このように平屋住宅９０の床付近に開口部９７、１０４を設置する事により、大津波で平屋住宅９０が浮き上がった際、ワイヤー９６、１０３を室内に挿入する位置が下げられるため、平屋住宅９０の重心位置が下がり平屋住宅９０の揺れを少なくすると共に、人が手動ウインチ１００を操作する際に床に座った状態で行うため、安定した状態で手動ウインチを操作する事が出来る。その他の構造については、この発明の実施の形態２と同様である。
【実施例４】
【００４４】  以下、この発明の実施の形態４について説明する。
［発明の実施の形態４］【００４５】  図１２乃至図１３には、この発明の実施の形態４を示す。上記発明の実施の形態１では、図３乃至図５において、地盤に構築した基礎構造体２２、２３、２４、２５の四隅に、それぞれ４本のフック１８、１９、２０、２１を設置し、その４本のフック１８、１９、２０、２１に、それぞれワイヤー３０、３１、３２、３６を固定し、フック１８、１９、２０、２１の概ね真上の平屋住宅の四隅の壁面にワイヤー３０、３１、３２、３６を通すための開口部５、１０、３８、４５を設置し、開口部５、１０、３８、４５の室内側にそれぞれ滑車を取付け、フック１８、１９、２０、２１に固定した４本のワイヤー３０、３１、３２、３６を開口部から室内に挿入し、室内に取付けた滑車を経由して１台の手動ウインチ４１に巻き付けるように構成されていたが、この発明の実施の形態４では、大津波が押し寄せて来る方向の、地盤に構築した基礎構造体１１３、１１６、１２８、１２９の左右四隅に、ワイヤー１０９、１１４、１１９、１２３を固定するためのフック１１２、１１５、１１８、１２５を設置すると共に、左右四隅のフック１１２、１１５、１１８、１２５に各々ワイヤー１０９、１１４、１１９、１２３を固定し、フック１１２、１１５、１１８、１２５の概ね真上の平屋住宅１３３の床付近の四隅の壁面にワイヤー１０９、１１４、１１９、１２３を室内に通すための開口部１１１、１２７、１２９、１３０を設置し、平屋住宅１３３の、津波が押し寄せて来る方向の、室内床の左右の壁側にシャフト１２２の両端にウインチ１２０、１２４を取付けたワイヤー巻取り装置１３１とシャフト１２６の両端にウインチ１０８、１１０を取付けたワイヤー巻取り装置１３２を設置し、左右のフック１１２、１１５とフック１１８、１２５に取付けた、それぞれ２本のワイヤー１０９、１１４とワイヤー１１９、１２３を開口部１１１、１２７と開口部１２９、１３０から室内に挿入し、左右のワイヤー巻取り装置１３２のウインチ１０８、１１０と、ワイヤー巻取り装置１３１のウインチ１２０、１２４に巻き付け、大津波が押し寄せ、平屋住宅１３３の一端が大津波により持ち上げられた際、ウインチ１０８、１１０とウインチ１２０、１２４に巻き付けられたワイヤー１０９、１１４とワイヤー１１９、１２３が伸び、平屋住宅１３３に到達した津波に対して平屋住宅１３３を概ね水平状態を保った状態で浮上させるように構成される。このように左右のウインチ１０８、１１０とウインチ１２０、１２４を、それぞれ２本のシャフト１２２とシャフト１２６で連結した事により、一方のウインチ１０８がワイヤー１１４により引っ張られた場合でも、他方のウインチ１１０も同様に回転するため（同様に、ウインチ１２０がワイヤー１１９により引っ張られた場合でも、他方のウインチ１２４も同様に回転する）平屋住宅１３３の一端が、大津波により持ち上げられるような場合においても、ワイヤーが引っ張られる力を抑える事が可能となり、大津波が押し寄せた際、浮力室と一体となるように構築した平屋住宅１３３を、概ね水平状態を保った状態で浮上させる事が可能となった。【００４６】  さらに、ワイヤー１０９、１１４、１１９、１２３が巻かれたウインチ��０８、１１０、１２０、１２４には、空回りを抑えるためのブレーキ装置を内臓したため、平屋住宅１１０が大津波で持ち上げられ、ワイヤー１０９、１１４、１１９、１２３が伸びようとした場合、ワイヤー１０９、１１４、１１９、１２３の伸びを抑える事が可能となる。その他の構造については、この発明の実施の形態１と同様である。【００４７】  以上、実施の形態に基づいて、本発明に係る津波対応浮上式小部屋（巻取り式）について詳細に説明してきたが、本発明は、以上の実施の形態に限定されるものではなく、発明の趣旨を逸脱しない範囲において各種の改変をなしても、本発明の技術的範囲に属するのはもちろんである。【００４８】  図１、図２において、支柱１２と基礎構造体との契合方法について記載していないが、古い神社の柱と置石のように、基礎構造体の一部に角穴を開け、支柱１２の下部に逆凸部を形成し、基礎構造体の角穴と逆凸部を契合させる事により、地震等で平屋住宅が揺れた場合にも、住宅が基礎から外れて倒壊するのを防ぐと共に、大津波で平屋住宅が持ち上げられた場合には、自動的に角穴と逆凸部の契合が外れるように構成する事も、もちろん可能である。【００４９】  図４において、４本のワイヤー３０、３１、３２、３６が、それぞれ滑車を経由して手動ウインチ４１に巻き付けられると説明したが、４本のワイヤー３０、３１、３２、３６を一枚のプレートに集合させて取付け、その集合したプレートから一本のワイヤーを伸ばして手動ウインチで巻き取る事も、もちろん可能である。このような構成にする事により、室内でのワイヤーの配置を自由に行うことが可能となる。【００５０】  図６、図７において、船外機５２を取付けた壁の反対側の壁に出入口ドア７だけを取付けているが、一人で平屋住宅１に避難し、一人で平屋住宅１を自走させるような場合を想定すれば、その出入口ドア７の両側に前方を見渡す事が出来る透明な窓等を取付ける事により、より一層安全に平屋住宅１を自走させる事が可能となる。【００５１】  図１２において、ワイヤーが巻かれたウインチ１０８、１１０、１２０、１２４には、空転を抑えるためのブレーキ装置が内臓されている、と説明したが、シャフト１２２、１２６にそれぞれブレーキ装置を取付ける事により、ウインチ１０８、１１０、１２０、１２４をブレーキ装置の無いウインチで構成する事も、もちろん可能である。
【図面の簡単な説明】
【００５２】
【図１】この発明の実施の形態１に係る、津波対応浮上式小部屋の基礎部と浮力室と平屋住宅を立体図で示すと共に浮力室を分解図で示す。
【図２】同実施の形態に係る、津波対応浮上式小部屋の基礎部と浮力室と平屋住宅を立体図で示す。
【図３】同実施の形態に係る、浮力室の上部に浮力室と一体となるように構築した平屋住宅の壁面に開口部を開けると共に、基礎構造体にフックを取付け、フックに取付けたワイヤーが壁側の開口部から室内に挿入された状態を立体図で示す。
【図４】同実施の形態に係る、図３で説明した、平屋住宅の外観を点線で表し、開口部から室内に挿入されたワイヤーが手動ウインチに巻かれる状態を示す。
【図５】同実施の形態に係る、図４で説明した平屋住宅が大津波により水面に浮かんだ状態を示す。
【図６】同実施の形態に係る、船外機用外開きドアの取付け位置と、開閉ドアに、船外機を取付けた状態を示す。さらに、浮力室と連結した平屋住宅が大津波の上に浮き上がった後、船外機用外開きドアを開けてドアを固定し、ドアに設置した船外機を下げて稼動させた状態を立体図で示す。
【図７】同実施の形態に係る、同実施の形態に係る、図６で説明した浮力室の上部に浮力室と一体となるように構築した平屋住宅が大津波の上に浮き上がった状態を立体図で示す。
【図８】この発明の実施の形態２に係る、浮力室の上部に浮力室と一体となるように構築した平屋住宅の壁面に開口部を開けると共に、基礎構造体にフックを取付け、フックに取付けたワイヤーが壁側の開口部から室内に挿入された状態を立体図で示す。
【図９】同実施の形態に係る、図８で説明した、開口部から室内に挿入されたワイヤーが手動ウインチに巻かれる状態を、平屋住宅の屋根と壁を透明にした状態で示す。
【図１０】同実施の形態に係る、図９で説明した平屋住宅が大津波により水面に浮かんだ状態を示す。
【図１１】この発明の実施の形態３に係る、開口部から室内に挿入されたワイヤーが手動ウインチに巻かれる状態を、平屋住宅の屋根と壁を透明にした状態で示す。
【図１２】この発明の実施の形態４に係る、平屋住宅の屋根と外観を点線で表し、開口部から室内に挿入されたワイヤーがウインチに巻かれる状態を示す。
【図１３】同実施の形態に係る、図１２で説明した平屋住宅が大津波により水面に浮かんだ状態を示す。
【符号の説明】
【００５３】１                  平屋住宅
２                  屋根
３                  窓
４                  壁面
５                  開口部
６                  ドア枠
７                  出入口ドア
８                  ドアハンドル
９                  出入口
１０                開口部
１１                発泡ポリスチレンフォーム
１２                支柱
１３                上部梁
１４                下部梁
１５                床梁
１６                浮力室
１７                鋼板
１８                フック
１９                フック
２０                フック
２１                フック
２２                基礎構造体
２３                基礎構造体
２４                基礎構造体
２５                基礎構造体
２６                階段
２７                基礎部
３０                ワイヤー
３１                ワイヤー
３２                ワイヤー
３６                ワイヤー
３７                滑車
３８                開口部
３９                滑車
４０                ハンドル
４１                手動ウインチ
４２                滑車
４３                滑車
４４                滑車
４５                開口部
４６                滑車
４７                水面
５１                船外機用外開きドア
５２                船外機
５３                ドア枠
５４                開閉ドア
５５                ドアハンドル
５６                丁番
５７                船外機上部取付金具
５８                丁番
５９                船外機下部取付金具
６０                ドア固定用フック
６１                フック固定金物
６６                平屋住宅
６７                屋根
６８                窓
６９                壁面
７０                浮力室
７１                基礎構造体
７２                基礎構造体
７３                階段
７４                フック
７５                出入口ドア
７６                ワイヤー
７７                開口部
７８                滑車
７９                開口部
８０                ワイヤー
８１                フック
８２                ハンドル
８３                手動ウインチ
８４                滑車
８５                水面
８６                基礎構造体
８７                基礎構造体
９０                平屋住宅
９１                浮力室
９２                基礎構造体
９３                基礎構造体
９４                階段
９５                フック
９６                ワイヤー
９７                開口部
９８                ローラー
９９                出入口ドア
１００              手動ウインチ
１０１              ハンドル
１０２              フック
１０３              ワイヤー
１０４              開口部
１０５              ローラー
１０８              ウインチ
１０９              ワイヤー
１１０              ウインチ
１１１              開口部
１１２              フック
１１３              基礎構造体
１１４              ワイヤー
１１５              フック
１１６              基礎構造体
１１７              階段
１１８              フック
１１９              ワイヤー
１２０              ウインチ
１２１              出入口ドア
１２２              シャフト
１２３              ワイヤー
１２４              ウインチ
１２５              フック
１２６              シャフト
１２７              開口部
１２８              基礎構造体
１２９              開口部
１３０              開口部
１３１              ワイヤー巻取り装置
１３２              ワイヤー巻取り装置
１３３              平屋住宅
１３４              水面
【図１】
2014202064.tif 000003
【図２】
2014202064.tif 000004
【図３】
2014202064.tif 000005
【図４】
2014202064.tif 000006
【図５】
2014202064.tif 000007
【図６】
2014202064.tif 000008
【図７】
2014202064.tif 000009
【図８】
2014202064.tif 000010
【図９】
2014202064.tif 000011
【図１０】
2014202064.tif 000012
【図１１】
2014202064.tif 000013
【図１２】
2014202064.tif 000014
【図１３】
2014202064.tif 000015